(57)【要約】【課題】１画素領域内の反射表示領域と透過表示領域とで異なる色度が得られ、かつ明るい表示が得られる半透過反射型のカラー液晶表示装置を提供する。【解決手段】対向して配置された一対の基板２０Ａ，３０Ａと、前記一対の基板の間に挟持された液晶層５０とを備え、１つの画素領域内に反射表示領域３３と透過表示領域３４とが形成され、前記反射表示領域に反射層３５を備えた半透過反射型液晶表示装置において、前記液晶層を挟持して両側に、第１カラーフィルタ（第１の色材層）４８と、第２カラーフィルタ（第２の色材層）４２とが設けられた構成とした。【選択図】　　　　図３
2004093780.tif 000002
【特許請求の範囲】
【請求項１】
対向して配置された一対の基板と、前記一対の基板の間に挟持された液晶層とを備え、１つの画素領域内に反射表示領域と透過表示領域とが形成され、前記反射表示領域に反射層を備えた半透過反射型の液晶表示装置であって、
前記液晶層を挟持して両側に、それぞれ第１の色材層と、第２の色材層とが設けられたことを特徴とする液晶表示装置。
【請求項２】
前記第１の色材層が、前記反射表示領域を含む平面領域に形成され、
前記第２の色材層が、前記透過表示領域を含む平面領域に形成されており、
前記画素領域内に、平面視において前記両色材層が部分的に重なる領域を有することを特徴とする請求項１に記載の液晶表示装置。
【請求項３】
前記透過表示領域と反射表示領域との間に、前記液晶層の厚さが連続的に変化する傾斜領域を有しており、
前記第１の色材層と第２の色材層とが平面的に重なる領域に、前記傾斜領域が含まれていることを特徴とする請求項２に記載の液晶表示装置。
【請求項４】
前記第１の色材層の透過表示領域側の縁端が、前記傾斜領域の透過表示領域側の縁端と平面視略同一位置とされたことを特徴とする請求項３に記載の液晶表示装置。
【請求項５】
前記第２の色材層の反射表示領域側の縁端が、前記傾斜領域の反射表示領域側の縁端と平面視略同一位置とされたことを特徴とする請求項３又は４に記載の液晶表示装置。
【請求項６】
前記第１の色材層が、前記画素領域の全面に渡って形成されたことを特徴とする請求項１ないし５のいずれか１項に記載の液晶表示装置。
【発明の詳細な説明】
【０００１】
【発明の属する技術分野】
本発明は、半透過反射型のカラー液晶表示装置に関するものである。
【０００２】
【従来の技術】
半透過反射型の液晶表示装置としては、１つの画素領域内に部分的に反射層を形成することで反射表示領域を形成し、残部の光透過領域を透過表示領域としたものが知られている。この種の液晶表示装置においては、液晶表示装置を構成する２枚の基板のいずれかにカラーフィルタを設けることでカラー表示が可能になるが、前記透過表示領域と反射表示領域とでは、その表示方式の違いにより、光源から出射された光が観察者に到達する間にカラーフィルタを透過する回数が異なるために、前記両領域で共通のカラーフィルタを用いると透過表示の色度が反射表示に劣る、あるいは暗い反射表示となるなどの問題が生じる。
【０００３】
【発明が解決しようとする課題】
そこで、１画素領域内のカラーフィルタに透過表示用の色材層と反射表示用の色材層とをそれぞれの領域に区画して形成し、透過表示と反射表示の色度を揃えることが考えられる。このようなカラーフィルタを作製する場合、画素領域内に前記２種類の色材層を隙間無く形成する必要があり、極めて高精度の製造技術が要求される。そのため、通常は両色材層の境界部で両色材層が部分的に重なるように形成することとなり、その部分でカラーフィルタの層厚が大きくなるために、液晶層厚の不均一による表示の乱れが生じ易く、高コントラストの表示が得られない低下の原因となっていた。また、場合によっては前記両色材層の境界部に沿って遮光層（ブラックマスク）を形成する必要があり、そのために開口率が低下するという問題があった。
【０００４】
本発明は、上記課題を解決するために成されたものであって、１画素領域内の反射表示領域と透過表示領域とで異なる色度が得られ、かつ明るい表示が得られる半透過反射型のカラー液晶表示装置を提供することを目的としている。
【０００５】
【課題を解決するための手段】
上記課題を解決するために、本発明は、対向して配置された一対の基板と、前記一対の基板の間に挟持された液晶層とを備え、１つの画素領域内に反射表示領域と透過表示領域とが形成され、前記反射表示領域に反射層を備えた半透過反射型の液晶表示装置であって、前記液晶層を挟持して両側に、それぞれ第１の色材層と、第２の色材層とが設けられたことを特徴とする液晶表示装置を提供する。
上記構成によれば、前記第１の色材層と第２の色材層とにより、１画素領域内に複数の色度を有する液晶表示装置を容易に構成することができる。すなわち、反射表示用の色材と透過表示用の色材とを同一基板上に形成する場合のように、両色材の突き合わせや重なりを考慮する必要が無く、製造が容易であり、また開口率が低下するのを防ぎ、明るい表示が得られる。
【０００６】
次に、本発明の液晶表示装置は、前記第１の色材層が、前記反射表示領域を含む平面領域に形成され、前記第２の色材層が、前記透過表示領域を含む平面領域に形成されており、前記画素領域内に、平面視において前記両色材層が部分的に重なる領域を有する構成とすることができる。
上記構成によれば、前記反射表示領域においては、主に前記第１の色材層を介してカラー表示を行い、透過表示領域においては、主に第２の色材層を介してカラー表示を行う構成の液晶表示装置、あるいは反射表示領域と透過表示領域のいずれか又は両方において第１の色材層及び第２の色材層を介してカラー表示を行う構成の液晶表示装置が得られる。これらの液晶表示装置において、第１、第２の色材層は平面視において部分的に重なる領域を有しているため、前記色材層同士の突き合わせはこの領域の縁端において自然になされる。また、同一基板上で両色材層が重ね合わされるものではないため、複数の色材層を画素領域に設けていながら液晶層厚の不均一がこれらの色材層に起因して生じることがない。従って、係る構成によれば、反射表示と透過表示とで異なる色度を有し、表示品質に優れる液晶表示装置を容易に得ることができる。
【０００７】
次に、本発明の液晶表示装置は、前記透過表示領域と反射表示領域との間に、前記液晶層の厚さが連続的に変化する傾斜領域を有しており、前記第１の色材層と第２の色材層とが平面的に重なる領域に、前記傾斜領域が含まれている構成とすることができる。
上記構成の液晶表示装置は、透過表示領域と、反射表示領域とで互いに異なる液晶層厚を有する構成とされており、両者の液晶層厚の変位領域が、前記傾斜領域とされたものである。この傾斜領域は、液晶層厚が一定ではないために表示には不適な領域である。本構成の液晶表示装置では、前記第１の色材層と、第２の色材層とが平面的に重なって比較的光が透過し難くされた領域に、前記傾斜領域が含まれるように配置されていることで、この傾斜領域を透過する光量を極力抑えることができ、これにより表示コントラストが低下するのを抑えることができる。
【０００８】
次に、本発明の液晶表示装置は、前記第１の色材層の透過表示領域側の縁端が、前記傾斜領域の透過表示領域側の縁端と平面視略同一位置とされた構成とすることもできる。
上記構成によれば、主に反射表示用の色材層として機能する第１の色材層が透過表示領域において第２の色材層と平面的に重ならず、かつ表示不良部となる傾斜領域は覆うように形成されるので、透過表示領域の色度や開口率に影響せずに傾斜領域の光透過量を抑えることが可能になる。すなわち、第２の色材層のみで透過表示領域のカラー表示を行うため、透過表示領域の色度をより正確に設定することが可能である。
【０００９】
次に、本発明の液晶表示装置は、前記第２の色材層の反射表示領域側の縁端が、前記傾斜領域の反射表示領域側の縁端と平面視略同一位置とされた構成とすることもできる。
上記構成によれば、主に透過表示用の色材層として機能する第２の色材層が反射表示領域において第１の色材層と平面的に重ならず、かつ表示不良部となる傾斜領域は覆うように形成されるので、反射表示領域の色度や開口率に影響せずに傾斜領域の光透過量を抑えることが可能になる。すなわち、第１の色材層のみで透過表示領域のカラー表示を行うため、透過表示領域の色度をより正確に設定することが可能である。
また、上記第１の色材層の縁端部配置と組み合わせることで、透過表示と反射表示の色度をそれぞれ独立かつ任意に設定することが可能になる。
【００１０】
次に、本発明の液晶表示装置は、前記第１の色材層が、前記画素領域の全面に渡って形成された構成とすることもできる。
上記構成によれば、前記第１の色材層と第２の色材層とが平面的に重なる領域と、第１の色材層のみが設けられた平面領域とで異なる色度の表示が可能な液晶表示装置が得られる。そして、前記第１の色材層が反射表示領域を含む領域に形成され、前記第２の色材層が透過表示領域を含む領域に形成されているならば、前記第１の色材層と第２の色材層とが平面的に重なる領域が透過表示用の色材層として機能し、前記第１の色材層のみが設けられた平面領域が反射表示用の色材層として機能する液晶表示装置を構成することができる。このような構成とするならば、前記第２の色材層の縁端部が、前記異なる色度の領域同士の境界と一致するため、色度の異なる領域同士での突き合わせを考慮することなく色材層を形成することができるので、液晶表示装置の製造容易性を向上させることができる。
【００１１】
【発明の実施の形態】
以下、本発明の実施の形態を図面を参照して説明する。
（第１の実施形態）
図１は、本発明の第１の実施形態であるアクティブマトリクス型の液晶表示装置を構成するマトリクス状に形成された複数の画素における配線構造を示す回路構成図であり、図２は、図１に示す１画素領域１０の平面構成図であり、図３は、図２に示すＡ−Ａ線に沿う部分断面構造図である。本実施形態の液晶表示装置は、図２及び図３に示すように、１つの画素領域内に反射表示領域３３と透過表示領域３４とを有し、前記表示領域３３，３４の間に傾斜領域１８を有する液晶パネル１と、その背面側に配設されたバックライト（照明装置）２とを備えた半透過反射型の液晶表示装置である。
【００１２】
図１に示すように、本実施形態の液晶表示装置は、複数の走査線１１と、走査線１１に対して交差する方向に延びる複数のデータ線１２と、各走査線１１と並列に延びる容量線１３とがそれぞれ配線された構成を有しており、走査線１１とデータ線１２との各交点付近に、画素領域１０が設けられている。画素領域１０の各々には、画素電極２３と、画素スイッチング素子としてのＴＦＴ素子２２とが形成されており、画像信号が供給されるデータ線１２がＴＦＴ素子２２のソース領域に電気的に接続されている。ＴＦＴ素子２２のゲート電極には、走査線１１が電気的に接続されている。また、画素電極２３はＴＦＴ素子２２のドレインに電気的に接続されており、走査線１１から供給される走査信号によりＴＦＴ素子２２をスイッチングすることで、データ線１２から供給される画像信号を所定のタイミングで画素電極２３に書き込み、液晶層を挟持して対向する電極との間で画像信号を保持するようになっている。また、前記画素電極２３に書き込まれた画像信号のリークを防止するために、上記画素電極２３と並列に保持容量１７が付加されており、保持容量１７を構成する一方の電極は容量線１３に電気的に接続されている。
【００１３】
次に、図２及び図３を参照して図１に示す画素領域１０の詳細な構成について説明する。
図２に示すように、画素領域１０には、平面視矩形状の透光性の画素電極２３と、この画素電極２３の一部領域に平面的に重なるように反射層３５が形成されている。この反射層３５が形成された領域が反射表示領域３３とされており、この反射表示領域３３の図示上側の透過表示領域３４は、画素電極２３が形成された領域のうち光を透過する領域とされている。反射層３５の下層には、容量線１３を構成する矩形状の電極部２６が形成され、この電極部２６の下層に形成された矩形状の容量電極２７と互いに対向して配置され、保持容量１７を構成している。また、平面視において電極部２６は反射層３５よりも透過表示領域３４側に一部突出されており、容量電極２７は前記電極部２６よりもさらに透過表示領域３４側に一部突出されている。そして、平面視において、これら反射表示領域３３と、透過表示領域３４との間の領域が傾斜領域１８と対応する。
【００１４】
また、画素領域１０において、前記画素電極２３の縦横の境界に沿ってデータ線１２及び走査線１１が設けられており、データ線１２と走査線１１との交差部近傍に、ＴＦＴ素子２２が形成されている。ＴＦＴ素子２２は、半導体層の一部である平面視略Ｕ形のＴＦＴ形成部２４に形成されており、このＴＦＴ形成部２４のＵ形の一方の先端には矩形状の容量電極２７が延設されて前記ＴＦＴ形成部２４とともに半導体層を構成している。
そして、本実施形態に係るＴＦＴ素子２２は、略Ｕ形のＴＦＴ形成部２４と走査線１１とが平面視において交差する２箇所にチャネル領域２２ａ、２２ｂが形成されたダブルゲート型のＴＦＴ素子とされている。ＴＦＴ形成部２４のデータ線１２に沿う一方の腕部の先端にコンタクトホール２５が形成され、このコンタクトホール２５を介してデータ線１２とＴＦＴ素子２５のソース側とが電気的に接続されている。前記コンタクトホール２５と反対側のＴＦＴ形成部２４の腕部先端側がＴＦＴ素子２４のドレイン側とされている。また、容量電極２７の図示下端中央部に、コンタクトホール４０が形成されており、このコンタクトホール４０を介して反射層３５と容量電極２７との間の層に形成された中継層３７に容量電極２７が電気的に接続されている。前記中継層３７には、コンタクトホール４１を介して画素電極２３が電気的に接続されており、コンタクトホール４０，４１及び中継層３７を介してＴＦＴ素子２２のドレインと画素電極２３とが電気的に接続されている。また、前記コンタクトホール４０，４１を含む中継層３７の平面領域は、反射層３５に設けられた矩形状の開口部３５ａの平面領域と重なるように形成されている。
【００１５】
一方、図３に示す断面構成図において、本実施形態の液晶表示装置は、互いに対向して配置されたアレイ基板２０と、対向基板３０と、これらの基板２０，３０に挟持された液晶層５０とから概略構成された液晶パネル１と、この液晶パネル１の下基板２０の外面側に配設されたバックライト２とを備えて構成されている。アレイ基板２０は、ガラスやプラスチック、樹脂フィルムなどからなる透明基板２０Ａを有している。
前記基板２０Ａの内面側（液晶層５０側）に、容量電極２７と、容量電極２７を覆う第１層間絶縁膜４５と、電極部２６（及び走査線１１）と、電極部２６を覆う第２層間絶縁膜４６と、中継層３７と、中継層３７を覆う第３層間絶縁膜４７と、反射層３５及び第２カラーフィルタ（第２の色材層）４２と、前記反射層３５及び第２カラーフィルタ４２とを覆う画素電極２３と、が形成されている。
【００１６】
前記容量電極２７と電極部２６とは液晶パネル垂直方向で互いに対向して配置されており、第１層間絶縁膜４５を絶縁層とする保持容量１７を形成している。中継層３７は、第１層間絶縁膜４５及び第２層間絶縁膜４６を貫通して形成されたコンタクトホール４０を介して容量電極２７に電気的に接続されており、この中継層３７は、第３層間絶縁膜４７を貫通して形成されたコンタクトホール４１を介して画素電極２３と電気的に接続されている。
【００１７】
反射層３５は、電極部２６上方の第３層間絶縁膜４７上に形成されており、この反射層３５と同層に隣接して第２カラーフィルタ４２が配設されている。画素電極２３は、これら反射層３５及び第２カラーフィルタを覆って形成されている。反射層３５が形成された領域の第３層間絶縁膜４７表面には、微細な凹部３２が複数形成されている。
また、基板２０Ａの外面側には、偏光板２１が設けられている。
【００１８】
対向基板３０は、ガラスやプラスチック、樹脂フィルムなどからなる透明基板３０Ａを有しており、基板３０Ａの内面側（液晶層５０側）には、反射表示領域３３及び透過表示領域３４にほぼ対応する平面領域に第１カラーフィルタ（第１の色材層）４８が形成されており、この第１カラーフィルタ４８上に部分的に樹脂層３６が設けられており、この樹脂層３６及び第１カラーフィルタ４８とを覆うようにＩＴＯ等の透明導電材料からなる対向電極３８が設けられている。基板３０Ａの外面側には、偏光板３９が設けられている。
前記樹脂層３６は、画素領域１０の反射表示領域３３に対応する位置に形成されており、この樹脂層３６により反射表示領域３３の液晶層厚ｄｒと、透過表示領域３４の液晶層厚ｄｔとを調整すること前記両表示領域における光路長を調整し、反射表示と透過表示のいずれにおいても高輝度の表示を可能にしている。また樹脂層３６は、その縁端部に、基板３０Ａに対して傾斜した傾斜部３６ａを有しており、この傾斜部３６ａは反射層３５の平面領域から外側に配置されている。本明細書では、この傾斜部３６ａのうち、反射表示領域３３と透過表示領域３４との間に位置される部分の平面領域を傾斜領域１８としている。
尚、図示は省略したが、画素電極２３及び対向電極３８上には、これらの電極を覆って配向膜が設けられている。
【００１９】
上記構成の本実施形態の液晶表示装置は、明るい屋外等の外光を利用できる環境では反射表示領域３３の反射層３５により外光を反射させて反射表示を行い、外光の利用が困難な環境では、バックライト２から出射される光を透過させて透過表示を行うようになっている。
上記の液晶表示装置では、対向基板３０の反射表示領域３３と透過表示領域３４とを含む領域に第１カラーフィルタ４８が設けられ、アレイ基板２０の透過表示領域３４を含む領域に第２カラーフィルタ４２が設けられていることで、反射表示領域３３においては、第１カラーフィルタ４８を用いたカラー表示を行い、透過表示領域においては、第１カラーフィルタ４８と第２カラーフィルタ４２の両方を用いたカラー表示を行うようになっている。このような構成とすることで、反射表示と透過表示との色度が適切に調整されるとともに、第１カラーフィルタ４８と第２カラーフィルタ４２との平面的な境界は、第２カラーフィルタ４２の縁端部と一致するため、反射表示用のカラーフィルタと透過表示用のカラーフィルタを同一基板に形成する場合に比して、カラーフィルタの加工精度が緩和され、製造の容易性が向上する。従って、本実施形態の構成は、特に画素領域１０がより微細な高精細の液晶表示装置に好適な構成である。
【００２０】
また、アレイ基板２０側の第２カラーフィルタ４２は、この傾斜領域１８と平面的に重なる位置まで延在しており、傾斜領域１８において第１カラーフィルタ４８と第２カラーフィルタ４２とが平面的に重なっているので、液晶層５０の厚さが変化しているために表示領域として不適な傾斜領域１８において、光が比較的透過し難くくなり、この傾斜領域１８を覆うためのブラックマスクを設けなくとも表示のコントラストが低下するのを極力抑えることができ、開口率の向上による表示輝度の向上効果を得ることができる。
【００２１】
尚、上記実施の形態では、第２カラーフィルタ４２の反射表示領域３３側の縁端と、反射層３５の縁端とが突き合わされて形成され、両者の境界が傾斜部３６ａの反射表示領域３３の縁端と平面視略同一位置とされた場合について説明したが、この第２カラーフィルタ４２の縁端は、少なくとも傾斜領域１８から外側（反射表示領域３３側）に形成されていれば良く、場合によってはその一部が、反射層３５の一部と重なるように形成されていても良い。このような場合であっても、反射表示の色度に若干の影響はあるものの、透過表示の色度には影響が無く、また開口率を低下させることもないので、高コントラストで明るい、高品位の表示を得ることができる。
【００２２】
（第２の実施形態）
次に、図４及び図５を参照して本発明の第２の実施形態について説明する。図４は、本発明の第２の実施形態の液晶表示装置における１画素領域を示す平面構成図であり、図５は、図４に示すＢ−Ｂ線に沿う部分断面構成図である。これらの図に示す本実施形態の液晶表示装置と、図１ないし図３に示す液晶表示装置との異なる点は、対向基板３０に設けられた第１カラーフィルタ（第１の色材）の構成のみである。従って、以下では、このカラーフィルタの構成についてのみ詳細に説明することとし、上記第１の実施形態と重複する説明については省略する。また、図４及び図５において、図１ないし図３に示すものと同一の符号は、同一の構成要素を示している。
【００２３】
本実施形態の液晶表示装置では、図４及び図５に示すように、反射表示領域３３に対応する領域の基板３０Ａ内面に第１カラーフィルタ４９が設けられており、このカラーフィルタ４９上に樹脂層３６が形成されている。また、樹脂層３６を覆って基板３０Ａ上に対向電極３８が形成されている。第１カラーフィルタ４９の縁端部と樹脂層３６の縁端部は、平面視略同一位置とされ、樹脂層３６の周縁部に形成された傾斜部３６ａは、上記第１の実施形態の液晶表示装置と同様に反射層３５の平面領域から外側に配置されている。すなわち、アレイ基板２０側の第２カラーフィルタ４２の反射表示領域３３側の縁端と、反射層３５の透過表示領域３４側の縁端とは突き合わされて形成されているので、反射表示領域３３、透過表示領域３４間の傾斜部３６ａの平面領域である傾斜領域１８において、第１カラーフィルタ４９とアレイ基板２０側の第２カラーフィルタ４２とが平面的に重なるように配置されている。
【００２４】
上記構成の本実施形態の液晶表示装置では、図４及び図５に示すように、第１カラーフィルタ４９と第２カラーフィルタ４２とが、傾斜領域１８のみで平面的に重なるようになっているため、反射表示では第１カラーフィルタ４９を介してカラー表示を行い、透過表示では第２カラーフィルタ４２を介してカラー表示を行うようになっている。このような構成とすることで、透過表示と反射表示の色度を独立かつ任意に設定することが可能になり、色度調整の自由度が向上する。
また、傾斜領域１８においては、第１カラーフィルタ４９と第２カラーフィルタ４２とが平面的に重なっているので、液晶層５０の厚さが変化しているために表示領域として不適な傾斜領域１８において、光が比較的透過し難くくなり、この傾斜領域１８を覆うためのブラックマスクを設けなくとも表示のコントラストが低下するのを極力抑えることができ、開口率の向上による表示輝度の向上効果を得ることができる。
【００２５】
尚、本実施形態に係る液晶表示装置では、第１カラーフィルタ４９の透過表示領域３４側の縁端が、樹脂層３６の透過表示領域側の縁端と平面視略同一位置とされ、第２カラーフィルタ４２の反射表示領域３３側の縁端と反射層３５の透過表示領域３４側の縁端とが平面視略同一位置とした場合について図示して説明したが、前記第１カラーフィルタ４９の透過表示領域側の縁端は、少なくとも樹脂層３６の透過表示領域側の縁端から外側に配置されていれば良く、第２カラーフィルタ４２の反射表示領域３３側の縁端は、少なくとも傾斜領域１８の反射表示領域３３側の縁端から外側（反射表示領域側）に配置されていればよい。すなわち、第１カラーフィルタ４９と第２カラーフィルタ４２とが平面的に重なる領域が、傾斜部３６ａの平面領域である傾斜領域１８を含んでいれば、表示の色度に若干の影響はあるものの、開口率を低下させることなく傾斜領域１８が視認され難くすることができる。
本実施形態の液晶表示装置においても、第１カラーフィルタ４９と第２カラーフィルタ４２とが別々の基板に設けられていることで、前記両カラーフィルタ４９，４２の平面的重なりが液晶層５０の厚さに影響しないという利点を有している。
【００２６】
（電子機器への応用例）
上記実施の形態の液晶表示装置は、電子ブック、パーソナルコンピュータ、携帯電話、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても、高品位のカラー表示を提供することができる。
【図面の簡単な説明】
【図１】図１は、本発明の第１の実施形態の液晶表示装置の配線構造を示す回路構成図である。
【図２】図２は、図１に示す１画素領域１０の平面構成図である。
【図３】図３は、図２に示すＡ−Ａ線に沿う部分断面構造図である。
【図４】図４は、本発明の第２の実施形態における１画素領域を示す平面構成図である。
【図５】図５は、図４に示すＢ−Ｂ線に沿う部分断面構成図である。
【符号の説明】
１０　画素領域、２０Ａ　基板、３０Ａ　基板、４８，４９　第１カラーフィルタ（第１の色材層）、４２　第２カラーフィルタ（第２の色材層）、３５　反射層、３３　反射表示領域、３４　透過表示領域
【図１】
2004093780.tif 000003
【図２】
2004093780.tif 000004
【図３】
2004093780.tif 000005
【図４】
2004093780.tif 000006
【図５】
2004093780.tif 000007